(57)【要約】【課題】交換可能な広告物を雨水や塵埃などから保護して配置することができる広告体を有し、また自動販売機の外側から広告体を外す悪戯を防ぐことができる自動販売機を提供する。【解決手段】紙葉体からなる広告物を収容する透光性を有したケース３２と、ケース３２を着脱可能に保持しつつ本体キャビネット１の外側面に固定されたフレーム３１とからなる広告体３を備える。すなわち、広告物Ｐがケース３２に収容してあることから、交換可能な広告物を雨水や塵埃などから保護して配置できる。また、フレーム３１を本体キャビネット１の内側から固定することで、フレーム３１を本体キャビネット１から外そうとする悪戯を防止できる。【選択図】        図１
2007220002.tif 000002
【特許請求の範囲】
【請求項１】
紙葉体からなる広告物を収容する透光性を有したケースと、当該ケースを着脱可能に保持しつつ本体キャビネットの外周面に固定されたフレームとからなる広告体を備えたことを特徴とする自動販売機。
【請求項２】
前記ケースは広告物を挿入する上部開口を有して袋状に形成してあり、前記フレームは前記ケースの上部開口を上方から覆いつつ当該ケースを保持してあることを特徴とする請求項１に記載の自動販売機。
【請求項３】
前記フレームは本体キャビネットの内側から固定してあることを特徴とする請求項１または２に記載の自動販売機。
【発明の詳細な説明】
【技術分野】
【０００１】
本発明は、広告体を備えた自動販売機に関するものである。
【背景技術】
【０００２】
従来、自動販売機の側面部を覆う平板状のパネル体と、該パネル体の上部縁端部および下部縁端部を収納する溝部を有して自動販売機の側面部の上下縁部に対向配置される上下枠部材とを設けて構成される自動販売機がある（例えば、特許文献１参照）。
【０００３】
【特許文献１】実開平４−１２０１８４号公報
【発明の開示】
【発明が解決しようとする課題】
【０００４】
しかしながら、従来の自動販売機では、パネル体の表面が上下枠部材から表出しているため、雨水や塵埃などからパネル体を保護することができない。すなわち、パネル体を長期にわたって使用することが困難である。さらに、従来の自動販売機では、枠部材が自動販売機の外側から固定されているため、枠部材を取り外す悪戯を防ぐことができない。
【０００５】
本発明は、上記実情に鑑みて、交換可能な広告物を雨水や塵埃などから保護して配置することができる広告体を有し、また自動販売機の外側から広告体を外す悪戯を防ぐことができる自動販売機を提供することを目的とする。
【課題を解決するための手段】
【０００６】
上記の目的を達成するために、本発明の請求項１に係る自動販売機は、紙葉体からなる広告物を収容する透光性を有したケースと、当該ケースを着脱可能に保持しつつ本体キャビネットの外周面に固定されたフレームとからなる広告体を備えたことを特徴とする。
【０００７】
本発明の請求項２に係る自動販売機は、上記請求項１において、前記ケースは広告物を挿入する上部開口を有して袋状に形成してあり、前記フレームは前記ケースの上部開口を上方から覆いつつ当該ケースを保持してあることを特徴とする。
【０００８】
本発明の請求項３に係る自動販売機は、上記請求項１または２において、前記フレームは本体キャビネットの内側から固定してあることを特徴とする。
【発明の効果】
【０００９】
本発明に係る自動販売機は、紙葉体からなる広告物を収容する透光性を有したケースと、ケースを着脱可能に保持しつつ本体キャビネットの外側面に固定されたフレームとからなる広告体を備える。すなわち、広告物がケースに収容してあることから、交換可能な広告物を雨水や塵埃などから保護して配置することができる。また、フレームが本体キャビネットの内側から固定してあるので、フレームを本体キャビネットから外そうとする悪戯を防止することができる。
【発明を実施するための最良の形態】
【００１０】
以下に添付図面を参照して、本発明にかかる表示装置を適用した自動販売機の好適な実施の形態を詳細に説明する。
【００１１】
図１は本発明に係る自動販売機の斜視図、図２は図１に示す自動販売機の側面図である。なお、ここで例示する自動販売機は、缶入り飲料、ペットボトル入り飲料、またはボトル缶入り飲料などの容器入り飲料を商品として販売するためのものである。
【００１２】
図１に示すように自動販売機は、その外箱として本体キャビネット１および外扉２を備えている。本体キャビネット１は、複数の鋼板を適宜組み合わせることによって構成したもので、前面が開口した直方状を成している。図には明示しないが本体キャビネット１の内部には、断熱構造とした商品収容庫、商品収容庫内に収容した商品を冷却する冷却装置、商品に収容庫内に収容した商品を加温する加温装置などが設けてある。
【００１３】
外扉２は、本体キャビネット１の前面開口を覆うに十分な大きさを有したもので、鋼材により堅牢に構成してあり、本体キャビネット１の一側縁部に支承してある。この外扉２には、図１に示すように前面（外面）側に紙幣挿入口２１、硬貨投入口２２、返却レバー２３、硬貨返却口２４、表示器２５、ディスプレイウィンド２６、選択ボタン２７、商品取出口２８が設けてある。
【００１４】
紙幣挿入口２１は、利用者が紙幣を挿入するための開口である。この紙幣挿入口２１を通じて挿入された紙幣は、外扉２の内側に設けた図示せぬ紙幣処理装置において適宜処理されることになる。なお、この紙幣挿入口２１は、利用者に対して紙幣を返却する際の紙幣返却口としても機能する。硬貨投入口２２は、利用者が硬貨を投入するための開口である。この硬貨投入口２２を通じて投入された硬貨は、外扉２の内側に設けた図示せぬ硬貨処理装置において適宜処理されることになる。返却レバー２３は、紙幣挿入口２１から挿入した紙幣、あるいは硬貨投入口２２から投入した硬貨を返却するための操作部であり、硬貨投入口２２の近傍に配設してある。硬貨返却口２４は、利用者に対して硬貨を返却するための開口であり、硬貨投入口２２よりも下方となる位置に設けてある。表示器２５は、貨幣の入金額、商品の販売中であるか否か、釣り銭があるか否かなど、商品を販売する上で必要となる各種情報を外部に表示するためのものである。ディスプレイウィンド２６は、外扉２の内部に配置した商品見本２６１を利用者に視認させるための窓である。選択ボタン２７は、商品見本２６１に対応して設けてあり、利用者が商品を選択するためのものである。商品取出口２８は、利用者が購入した商品を受け取るための開口である。
【００１５】
図１および図２に示すように上述した自動販売機は、広告体３を備えている。広告体３は、本体キャビネット１の外側面に設けてあり、フレーム３１およびケース３２で構成してある。
【００１６】
図３は広告体のフレームを裏面側から見た斜視図、図４は広告体のケースを示す斜視図である。図３に示すようにフレーム３１は、フレーム本体３１１と収納部３１２と固定部３１３とを有している。
【００１７】
フレーム本体３１１は、ほぼ矩形状の板金からなり、図３に示すように上下縁部および一側縁を裏面側に略コ字形状に折り曲げ加工した折曲部３１１ａを有して、所定の厚みをなしている。また、フレーム本体３１１には、略中央部分に矩形状の開口孔３１１ｂが設けてある。
【００１８】
収納部３１２は、開口孔３１１ｂを覆う態様でフレーム本体３１１の裏面側に配設してある。収納部３１２は、ほぼ矩形状の板金からなり、上下縁および一側縁をフレーム本体３１１に向けて略Ｚ字形状に折り曲げ加工して、フレーム本体３１１の裏面に対面して接触する取付片３１２ａを有している。すなわち、収納部３１２は、３箇所の取付片３１２ａを介してフレーム本体３１１の裏面にスポット溶接などで固定される。さらに上下縁の取付片３１２ａの先端部を、フレーム本体３１１の裏面から背けて略Ｚ字形状に折り曲げ加工して、フレーム本体３１１の折曲部３１１ａと同じ高さの脚片３１２ｂを有している。また、収納部３１２は、各取付片３１２ａを介してフレーム本体３１１に固定した状態において、その板面がフレーム本体３１１の裏面から離間した収納域３１２ｃとなる。この収納域３１２ｃは、収納部３１２の他側縁において開口している。
【００１９】
固定部３１３は、フレーム本体３１１の裏面側の他側縁近傍であって上下位置の複数箇所（ここでは２箇所）に配設してある。固定部３１３は、短冊形状の板金からなり、その両端を折り曲げ加工して、フレーム本体３１１の裏面に対面して接触する取付片３１３ａを有している。すなわち、固定部３１３は、両端の取付片３１３ａを介してフレーム本体３１１の裏面にスポット溶接などで固定される。また、固定部３１３は、各取付片３１３ａを介してフレーム本体３１１に固定した状態において、その中央がフレーム本体３１１の裏面から離間した固定片３１３ｂとなる。この固定片３１３ｂには、雌ネジ孔３１３ｃが設けてある。
【００２０】
図４に示すようにケース３２は、紙・合成樹脂性シートなどの紙葉体からなる広告物Ｐ（例えばポスターなど）を収容するためのものである。ケース３２は、透光性（透明を含む）を有する合成樹脂材（例えばアクリル樹脂）によって形成してある。ケース３２は、矩形状の２枚の合成樹脂材の板体を重ね合わせて、互いの下縁および両側縁を液密に接着することで、上縁部分に上部開口３２１を有した袋状に形成してある。すなわち、広告物Ｐは、上部開口３２１から挿入されてケース３２内に収容される一方、上部開口３２１からケース３２外に取り出される。
【００２１】
このように構成されたケース３２は、図３に示すようにフレーム３１における収納部３１２の他側縁の開口から挿入されて、収納域３１２ｃ内に収納保持される。また、ケース３２は、フレーム３１に保持された状態において、上部開口３２１が収納部３１２の上縁およびフレーム本体３１１の開口孔３１１ｂの上縁によって上方から覆われることになる。そして、ケース３２内に収容された広告物Ｐは、フレーム３１におけるフレーム本体３１１の開口孔３１１ｂを介してフレーム３１の正面側の外部から見ることができる。
【００２２】
上述した広告体３は、自動販売機の本体キャビネット１の外側面に以下のごとく取り付けてある。図５は本体キャビネットへのフレームの取り付けを示す断面図、図６は本体キャビネットへのフレームの取り付けを示す断面図である。図５では、自動販売機の横断面を平面から見ており、図６では自動販売機の縦断面を正面から見ている。
【００２３】
図５に示すように広告体３は、フレーム本体３１１の裏面側の他側縁である上下位置の２箇所に配設した固定部３１３を介して本体キャビネット１に取り付けてある。具体的には、本体キャビネット１の前面開口の縁部には、周壁１１の内側に補強金具１２が配置してある。そして、周壁１１および補強金具１２には、それぞれ貫通孔１１ａ，１２ａが設けてある。この貫通孔１１ａ，１２ａには、本体キャビネット１の内側から雄ネジ４が挿通される。雄ネジ４は、固定部３１３の固定片３１３ｂに設けた雌ネジ孔３１３ｃに螺合する。すなわち、広告体３は、本体キャビネット１の内側から雄ネジ４によって固定され、且つ、本体キャビネット１の補強金具１２を介して強固に固定されることになる。そして、本体キャビネット１にフレーム３１を固定した状態で、当該フレーム３１には、その他側縁（または本体キャビネット１の前側）から、広告物Ｐを収容したケース３２が着脱可能に保持される。そして、本体キャビネット１にフレーム３１を固定した状態で、広告物Ｐは、フレーム３１におけるフレーム本体３１１の開口孔３１１ｂを介して本体キャビネット１の外側から見ることができる。
【００２４】
なお、雄ネジ４での広告体３の取り付けを容易にするため、図６に示すように本体キャビネット１の周壁１１の外側には、取付金５が設けてある。取付金５は、上方に向く係止片５１をなす態様で断面形状が略Ｚ字形状としてあり、本体キャビネット１の前後方向（水平方向）に長手状に延在して、本体キャビネット１の上下位置に２箇所設けてある。この取付金５は、雄ネジ４で広告体３を本体キャビネット１に取り付ける位置、すなわち雄ネジ４が雌ネジ孔３１３ｃに螺合する位置において、広告体３のフレーム３１を係止する。すなわち、図６に示すように上側の取付金５の係止片５１が、フレーム本体３１１の上縁で下方に向く折曲部３１１ａに係止する。一方、図６に示すように下側の取付金５の係止片５１が、収納部３１２の下縁で下方に向く脚片３１２ｂに係止する。このようにして、雄ネジ４が雌ネジ孔３１３ｃに螺合する位置において広告体３が係止される。この結果、本体キャビネット１に対する広告体３の着脱が容易になる。
【００２５】
このように、上述した自動販売機では、紙葉体からなる広告物Ｐを収容する透光性を有したケース３２と、ケース３２を着脱可能に保持しつつ本体キャビネット１の外側面に固定されたフレーム３１とからなる広告体３を備えている。すなわち、広告物Ｐがケース３２に収容してあることから、交換可能な広告物Ｐを雨水や塵埃などから保護して配置することが可能になる。また、フレーム３１が本体キャビネット１の内側から固定してあるので、フレーム３１を本体キャビネット１から外そうとする悪戯を防止することが可能になる。さらに、広告体３は、紙葉体からなる広告物Ｐを収容するケース３２を保持する収納域を有していればよいため、全体の厚みを極力薄くすることができ、設置スペースを容易に確保することが可能であり、自動販売機の外観のデザイン性を高めることが可能になる。
【００２６】
なお、一般の自動販売機では、広告物Ｐをディスプレイウィンド２６内に設けた広告スペースに配置することが多い。しかし、ディスプレイウィンド２６内に設けた広告スペースでは、例えばＡ３サイズ以下の広告物Ｐしか配置できない限界があった。本発明に係る広告体３では、自動販売機の本体キャビネット１の外周面のスペースを有効に活用できるので、Ａ３サイズ以上（例えばＢ２サイズなど）の広告物Ｐを配置することが可能になる。
【００２７】
なお、上述した実施の形態では、広告体３を本体キャビネット１の外側面に設けた構成で説明したが、本体キャビネット１の背面を含む外周面に広告体３を設けてもよい。
【図面の簡単な説明】
【００２８】
【図１】本発明に係る自動販売機の斜視図である。
【図２】図１に示す自動販売機の側面図である。
【図３】広告体のフレームを裏面側から見た斜視図である。
【図４】広告体のケースを示す斜視図である。
【図５】本体キャビネットへのフレームの取り付けを示す断面図である。
【図６】本体キャビネットへのフレームの取り付けを示す断面図である。
【符号の説明】
【００２９】
１    本体キャビネット
１１    周壁
１１ａ    貫通孔
１２    補強金具
１２ａ    貫通孔
２    外扉
３    広告体
３１    フレーム
３１１    フレーム本体
３１１ａ    折曲部
３１１ｂ    開口孔
３１２    収納部
３１２ａ    取付片
３１２ｂ    脚片
３１２ｃ    収納域
３１３    固定部
３１３ａ    取付片
３１３ｂ    固定片
３１３ｃ    雌ネジ孔
３２    ケース
３２１    上部開口
４    雄ネジ
５    取付金
５１    係止片
Ｐ    広告物
【図１】
2007220002.tif 000003
【図２】
2007220002.tif 000004
【図３】
2007220002.tif 000005
【図４】
2007220002.tif 000006
【図５】
2007220002.tif 000007
【図６】
2007220002.tif 000008